(57)【要約】      （修正有）【課題】表示装置自身に雪割りの機能を持たすと同時にドライバー等に対して薄くスマートな表示装置であるとの印象を与えることのできる情報表示装置を提供する。【解決手段】路面に立設された支柱から延長された梁に取付けられ発光ダイオード等の光源によって情報を表示するようにした情報表示装置において、側面の４辺を傾斜面とした情報表示装置。【選択図】図４
0003119120.tif 000002
【実用新案登録請求の範囲】
【請求項１】
路面に立設された支柱から延長された梁に取付けられ発光ダイオード等の表示素子によって情報を表示するようにした情報表示装置において、側面の４辺を傾斜面としたことを特徴とする情報表示装置。
【請求項２】
前記傾斜面の前面とのなす角度が４０〜６０度であることを特徴とする請求項１記載の情報表示装置。
【考案の詳細な説明】
【技術分野】
【０００１】
本考案は発光ダイオード（以下、ＬＥＤという）等の表示素子をマトリックス状に配置し、該表示素子を点灯することで各種の道路情報等の情報を表示するようにした情報表示装置に関する。
【背景技術】
【０００２】
従来における情報表示装置としては、例えば、本出願人会社が発行している２００４年度版の総合カタログの３０頁「ＨＬ２型表示機」（従来例１）と、７２頁「トンネル口情報板」（従来例２）に掲載されているものがある。従来例１，２に掲載されている道路情報表示装置は、図６〜図８に示すものであり、何れも道路に立設された支柱から横方向に延びる梁に取付けられている。また、従来例２（図７の正面図と図８の側面図）の道路情報表示装置は従来例１の上面に雪割り用の屋根を取付けたものである。
【０００３】
なお、従来例２の情報表示装置は、降雪地帯に採用されているものであり、雪が降った場合に表示装置の上面に積もることがないように比較的鋭角な屋根形状としてある。図７，８において屋根の長さ方向に沿って取付けられている針状物は鳥が止まって糞が付着するのを防止するための防鳥針である。
【非特許文献１】名古屋電機工業株式会社が２００４年に発行した総合カタログの３０頁「ＨＬ２型表示機」
【非特許文献２】名古屋電機工業株式会社が２００４年に発行した総合カタログの７２頁「トンネル口情報板」
【考案の開示】
【考案が解決しようとする課題】
【０００４】
ところで、前記した従来例１の道路情報表示装置にあっては、降雪地帯に設置した場合に上面に雪が積もって支柱や梁に対して相当な荷重が加わるために支柱や梁を強固にする必要がある。一方、従来例２の道路情報表示装置にあっては、前記した雪が堆積しない工夫が施されている点で異なるが、前記した雪割り用の屋根のために風圧面積が増加し、支柱や梁の強度を上げなければならないといった問題があった。また、降雪地帯に設置される道路情報表示装置にあっては、冬季における保守性を考慮して保守員が表示装置の内部に入って保守を行う構造が採用されるため奥行きが８０〜１００ｃｍと大きくなり、通行するドライバーが前方下側から見た時に厚みがそのまま見えることで重圧感や圧迫感を与えると同時に全体の重量が増すために支柱や梁の強度を一層上げ、太い柱を使用しなければならないといった問題があった。
【０００５】
本考案は前記した問題点を解決せんとするもので、その目的とするところは、情報表示装置の側面に背面に延びる鋭角な傾斜を設けたことにより、表示装置自身に雪割りの機能を持たすと同時にドライバー等に対して薄くスマートな表示装置であるとの印象を与えることのできる情報表示装置を提供せんとするにある。
【課題を解決するための手段】
【０００６】
本考案の情報表示装置は前記した目的を達成せんとするもので、請求項１の手段は、路面に立設された支柱から延長された梁に取付けられ発光ダイオード等の表示素子によって情報を表示するようにした情報表示装置において、側面の４辺を傾斜面としたことを特徴とする。
【０００７】
請求項２の手段は、前記した請求項１において、前記傾斜面の前面とのなす角度が４０〜６０度であることを特徴とする。
【考案の効果】
【０００８】
本考案に係る情報表示装置は前記したように、情報表示装置の側面の４辺を傾斜面としたので、雪が滑り落ちて堆積することがないために従来のような雪割り用の屋根を必要とせず、従来の情報表示装置と比べて風圧面積や全体の重量を減らすことによって細い支柱や梁が使用でき美観を向上させると同時にコストを下げるといった効果を有する。また、ドライバー等が斜め下前方から見た時に表示装置として薄型に見えるので、見る人に対して重圧感や圧迫感を与えることがないといった効果を有する。
【０００９】
さらに、従来の雪割り用の屋根のように前後に傾斜面を持たず、傾斜面が一方向のみで鳥が頂上部に止まり難いため、美観を損なう防鳥針を頂上に設ける必要がなくなるといった効果を有する。
【００１０】
また、前記傾斜面と前面とのなす角度を４０〜６０度とすることで、雪の滑りが良く堆積をより防止できるものである。
【考案を実施するための最良の形態】
【００１１】
本考案は、情報が表示される前面の面積に対して背面の面積を小さくし、側面の４辺を傾斜面としたものである。
【実施例１】
【００１２】
以下、本考案に係る情報表示装置の一実施例を図１〜図４と共に説明する。なお、この実施例では道路情報表示装置として説明するが、道路情報表示装置に限定されるものではなく、河川情報表示装置や駐車場案内表示装置など奥行きが大きな屋外表示装置に対して適用することが可能である。
１は一般道にあっては歩道側、高速道路にあっては側道の外側に立設された支柱、２は該支柱１の上部から車道側に水平に延びる梁である。なお、梁２は一端が後述する筐体３内に固定され、筐体３から突出された先端部が支柱１に固定されている。
【００１３】
Ａは前記梁２に取付けられた本考案に係る情報表示装置にして、各種の大きさのものがあるが、多く採用されているものとしては高さが約２ｍ、幅が約３ｍ、厚み８０〜１００ｃｍのものであって、厚みが８０ｃｍ以上と厚いのは保守時に保守員が内部に入って保守を行うためである。
【００１４】
次に、情報表示装置Ａの詳細について説明するに、筐体３は前面板３１と背面板３２および側面板３３とから構成され、前面板３１には開口部３１ａが開口されており、この開口部３１ａにマトリックス状にＬＥＤが配列されたユニット３１ｂが縦横に多数取付けられている。裏面板３２には保守員が保守時に筐体３内に入るための扉３２ａが取付けられている。
【００１５】
側面板３３は前記前面板３１と背面板３２との側面を覆うものであって、前面板３１の面積に対して背面板３２の面積が小さいため４辺が傾斜面になっている。しかも、４辺の傾斜角は４０〜６０度となっている。この傾斜角は降雪時に雪が滑りやすいための角度である。また、傾斜面の表面にはフッ素樹脂加工等を施し、より雪が滑り易いようにすることが望ましい。
【００１６】
なお、４辺の傾斜角は全て同じである必要はなく、例えば、雪の滑落の効果を上げるため上部の傾斜面の傾斜角を底部の傾斜面の傾斜角より大きくなるように製作してもよい。
また、上記実施例の一方の梁は、情報表示装置Ａを筐体３の中で支持する構造としたが、梁２を背面板３２に固定し、外から情報表示装置Ａを支持するようにしてもよいことは勿論である。
【００１７】
なお、背面板３２には図５に示すように、例えば、道の駅等の施設名称や距離等の表示を行ってもよい。
また、前記した実施例では、降雪地帯に設置することで雪が筐体３の上面に積もるのを防止できる利点がある旨の説明を行ったが、降雪地帯以外の地域に設置した場合にも、筐体の軽量化と外観の美化（特に、前方斜め下側から見て薄く見える）の向上が図れるといった効果が得られるものである。
【図面の簡単な説明】
【００１８】
【図１】本考案の情報表示装置の側面図である。
【図２】同上の背面図である。
【図３】支柱に取付けた状態の裏面側から見た斜視図である。
【図４】同上の前面側から見た斜視図である。
【図５】他の実施例の背面側から見た斜視図である。
【図６】従来例の前面側から見た斜視図である。
【図７】他の従来例の側面図である。
【図８】同上の正面図である。
【符号の説明】
【００１９】
Ａ        情報表示装置
１        支柱
２        梁
３        筐体
３１      前面板
３２      背面板
３３      側面板
【図１】
0003119120.tif 000003
【図２】
0003119120.tif 000004
【図３】
0003119120.tif 000005
【図４】
0003119120.tif 000006
【図５】
0003119120.tif 000007
【図６】
0003119120.tif 000008
【図７】
0003119120.tif 000009
【図８】
0003119120.tif 000010